(57)【特許請求の範囲】
【請求項１】
前身頃及び後身頃を個別又は一体的に構成する外装体と、前身頃から後身頃にわたるように外装体の内側に設けられた、吸収体を含む内装体とを備え、
前身頃の外装体の両側縁部と後身頃の外装体の両側縁部とが接合されたサイドシール部と、ウエスト開口及び左右一対の脚開口とを備えたパンツタイプ使い捨ておむつにおいて、
前記後身頃の外装体は、サイドシール部を有する前後方向範囲として定まる胴周り部と、脚開口を形成する部分の前後方向範囲として定まる中間部とを有しており、
前記中間部は前記内装体より側方に位置するカバー部を有しており、
少なくとも前記カバー部は、第１シート層と、第２シート層との間に弾性シート層が積層されてなるとともに、
前記弾性シート層が幅方向に伸長された状態で、前記第１シート層及び第２シート層が、幅方向及び前後方向にそれぞれ間隔を空けて配列された多数の点状接合部で、直接的又は間接的に接合されており、
前記カバー部における少なくとも前後方向中間の部分が、幅方向外側の縁から幅方向中央側の部分まで段階的又は連続的に、前記点状接合部の配置密度が高くなるように構成されている、
ことを特徴とするパンツタイプ使い捨ておむつ。
【請求項２】
前記カバー部は、周縁部領域と、この周縁部により囲まれた包囲領域とを有しており、
前記周縁部領域における前記点状接合部の配置密度が、前記包囲領域における前記点状接合部の配置密度よりも高い、請求項１記載のパンツタイプ使い捨ておむつ。
【請求項３】
前記カバー部の少なくとも前後方向中央側の部分における幅方向外側の縁が、前後方向中央側に向かうにつれて前記内装体側に位置するような直線状又は曲線状をなしている、請求項２記載のパンツタイプ使い捨ておむつ。
【請求項４】
前記後身頃における前記内装体の側方に位置する部分の前後方向長さが、前記前身頃における前記内装体の側方に位置する部分の前後方向長さよりも長く、
前記カバー部は、前記胴周り部側に前記胴周り部と同幅の部分を有する、請求項１〜３のいずれか１項に記載のパンツタイプ使い捨ておむつ。
【請求項５】
前記後身頃の外装体は、前記胴周り部における少なくとも前後方向中間の部分が、幅方向外側の縁から幅方向中央側の部分まで段階的又は連続的に、前記点状接合部の配置密度が高くなるように構成されている、
請求項１〜４のいずれか１項に記載のパンツタイプ使い捨ておむつ。
【請求項６】
前記点状接合部の配置密度の高低は、個々の点状接合部の面積の大小及び点状接合部間の間隔の広狭の少なくとも一方により形成されている、請求項１〜５のいずれか１項に記載のパンツタイプ使い捨ておむつ。
【発明の詳細な説明】
【技術分野】
【０００１】
本発明は、臀部の膨らみに対するフィット性に優れるパンツタイプ使い捨ておむつに関する。
【背景技術】
【０００２】
パンツタイプ使い捨ておむつは、前身頃及び後身頃を個別又は一体的に構成する外装体と、前身頃から後身頃にわたるように外装体の内面に取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。
【０００３】
外装体は、サイドシール部を有する前後方向範囲（ウエスト開口から脚開口の上端に至る前後方向範囲）として定まる胴周り部と、脚開口を形成する部分の前後方向範囲として定まる中間部とを有しており、中間部は内装体の側方に位置するカバー部を有しており、胴周り部やカバー部に糸ゴム、シート状等の弾性部材を設けることが一般的となっている（例えば、特許文献１、２参照）。
【０００４】
しかしながら、従来のパンツタイプ使い捨ておむつには、臀部の下部に対するフィット性が不十分であるという問題点があった。すなわち、外装体の胴周り部は全体として筒状をなすため、胴周り部に幅方向に伸長状態で弾性部材を設けた場合、弾性部材の収縮力は胴周り部全体を締め付けるように作用し、緩み無く身体にフィットする。これに対して、カバー部は幅方向外側の端部（脚開口の縁部）が自由になっているため、カバー部に幅方向に伸長状態で弾性部材を設けてもフィット性が不十分となり易い。特に、後身頃の外装体のカバー部は、臀部膨らみの下部をカバーする部分であり、臀部の膨らみの影響で、カバー部の幅方向外側の端部、つまり脚開口の縁部が浮いてひらひらとし易いのである。
【０００５】
この問題点に対して、特許文献１記載のように、脚開口の縁部に沿って弾性部材を設けることも提案されているが、部材の追加は製品コストが嵩むだけでなく、柔軟性、通気性の低下をもたらすため好ましくない。
【先行技術文献】
【特許文献】
【０００６】
【特許文献１】特許４９８７９６７号公報
【特許文献２】特許５２９２５８６号公報
【特許文献３】特表２００４−５３２７５８号公報
【発明の概要】
【発明が解決しようとする課題】
【０００７】
そこで本発明の主たる課題は、臀部の下部に対するフィット性を向上させることにある。
【課題を解決するための手段】
【０００８】
上記課題を解決した本発明は次のとおりである。
＜請求項１記載の発明＞
前身頃及び後身頃を個別又は一体的に構成する外装体と、前身頃から後身頃にわたるように外装体の内側に設けられた、吸収体を含む内装体とを備え、
前身頃の外装体の両側縁部と後身頃の外装体の両側縁部とが接合されたサイドシール部と、ウエスト開口及び左右一対の脚開口とを備えたパンツタイプ使い捨ておむつにおいて、
前記後身頃の外装体は、サイドシール部を有する前後方向範囲として定まる胴周り部と、脚開口を形成する部分の前後方向範囲として定まる中間部とを有しており、
前記中間部は前記内装体より側方に位置するカバー部を有しており、
少なくとも前記カバー部は、第１シート層と、第２シート層との間に弾性シート層が積層されてなるとともに、
前記弾性シート層が幅方向に伸長された状態で、前記第１シート層及び第２シート層が、幅方向及び前後方向にそれぞれ間隔を空けて配列された多数の点状接合部で、直接的又は間接的に接合されており、
前記カバー部における少なくとも前後方向中間の部分が、幅方向外側の縁から幅方向中央側の部分まで段階的又は連続的に、前記点状接合部の配置密度が高くなるように構成されている、
ことを特徴とするパンツタイプ使い捨ておむつ。
【０００９】
（作用効果）
本発明のような、弾性シート層を幅方向に伸長した状態で第１シート層及び第２シート層間に挟み、多数の点状接合部で一体化した伸縮構造では、点状接合部の配置密度が高くなるほど幅方向の収縮率が低下する。よって、カバー部における少なくとも前後方向中間の部分が、幅方向外側の縁から幅方向中央側の部分まで段階的又は連続的に、点状接合部の配置密度が高くなるように構成されていると、カバー部は自然長状態で外側に湾曲し、ある程度伸長した装着状態でも湾曲は維持され、臀部の下部表面に沿ってフィットするようになる。よって、脚開口の縁部に沿って弾性部材を設けなくても、臀部の下部に対するフィット性が向上する。
【００１０】
＜請求項２記載の発明＞
前記カバー部は、周縁部領域と、この周縁部により囲まれた包囲領域とを有しており、
前記周縁部領域における前記点状接合部の配置密度が、前記包囲領域における前記点状接合部の配置密度よりも高い、請求項１記載のパンツタイプ使い捨ておむつ。
【００１１】
（作用効果）
この形態では包囲領域が周縁部領域に対して膨らみ出るように湾曲し、臀部の下部表面に沿ってフィットするようになる。また、このように配置密度を二段階で変化させるだけの簡素な構造で十分なフィット性向上を図ることができる。
【００１２】
＜請求項３記載の発明＞
前記カバー部の少なくとも前後方向中央側の部分における幅方向外側の縁が、前後方向中央側に向かうにつれて前記内装体側に位置するような直線状又は曲線状をなしている、請求項２記載のパンツタイプ使い捨ておむつ。
【００１３】
（作用効果）
カバー部の縁がこのような形状であると、臀部の下部に対するフィット性が特に好ましいものとなる。
【００１４】
＜請求項４記載の発明＞
前記後身頃における前記内装体の側方に位置する部分の前後方向長さが、前記前身頃における前記内装体の側方に位置する部分の前後方向長さよりも長く、
前記カバー部は、前記胴周り部側に前記胴周り部と同幅の部分を有する、請求項１〜３のいずれか１項に記載のパンツタイプ使い捨ておむつ。
【００１５】
（作用効果）
このようなカバー部は特に脚開口の縁部が浮いてひらひらとし易いため、本発明に好適である。
【００１６】
＜請求項５記載の発明＞
前記後身頃の外装体は、前記胴周り部における少なくとも前後方向中間の部分が、幅方向外側の縁から幅方向中央側の部分まで段階的又は連続的に、前記点状接合部の配置密度が高くなるように構成されている、
請求項１〜４のいずれか１項に記載のパンツタイプ使い捨ておむつ。
【００１７】
（作用効果）
このように胴周り部にも点状接合部の配置密度の変化を設けることにより、臀部の下部だけでなく、臀部の上下方向中間の側部等、より広範囲のフィット性を向上することができる。
【００１８】
＜請求項６記載の発明＞
前記点状接合部の配置密度の高低は、個々の点状接合部の面積の大小及び点状接合部間の間隔の広狭の少なくとも一方により形成されている、請求項１〜５のいずれか１項に記載のパンツタイプ使い捨ておむつ。
【００１９】
（作用効果）
このように、個々の点状接合部の面積の大小及び点状接合部間の間隔の広狭の少なくとも一方により、点状接合部の配置の疎密を形成することができる。
【発明の効果】
【００２０】
以上のとおり、本発明によれば、臀部の下部に対するフィット性を向上させることができる、等の利点がもたらされる。
【図面の簡単な説明】
【００２１】
【図１】展開状態のパンツタイプ使い捨ておむつの平面図（内面側）である。
【図２】展開状態のパンツタイプ使い捨ておむつの平面図（外面側）である。
【図３】（ａ）は外装体の要部平面図、（ｂ）は（ａ）のＤ−Ｄ断面図、（ｃ）は装着状態における断面図、（ｄ）は自然長状態における断面図である。
【図４】図１のＣ−Ｃ断面図である。
【図５】図１のＡ−Ａ断面図である。
【図６】図１のＢ−Ｂ断面図である。
【図７】展開状態のパンツタイプ使い捨ておむつの要部のみ示す平面図である。
【図８】展開状態のパンツタイプ使い捨ておむつの平面図（外面側）である。
【図９】幅方向にある程度伸長した外装体の要部断面を概略的に示す断面図である。
【図１０】展開状態のパンツタイプ使い捨ておむつの平面図（外面側）である。
【発明を実施するための形態】
【００２２】
以下、本発明の一実施形態について、添付図面を参照しつつ詳説する。なお、断面図中の点模様部分はホットメルト接着剤等の接合手段を示している。
図１〜図７はパンツタイプ使い捨ておむつを示している。このパンツタイプ使い捨ておむつ（以下、単におむつともいう。）は、前身頃Ｆ及び後身頃Ｂを構成する一体的な外装体２０と、この外装体２０の内面に固定され一体化された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤などの接合手段によって接合（図７の模様部分１０Ｂ）された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２３】
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のように略長方形とすることが一般的である。
【００２４】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２５】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２６】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の形状は、股間部に前後両側よりも幅の狭い括れ部分１３Ｎを有する略砂時計状に形成されているが、長方形状等、適宜の任意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２７】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００２８】
また、二重シート間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００２９】
液不透過性裏面側シート１２は、液透過性表面シート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３０】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３１】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３２】
（外装体の構造例）
図示形態の外装体２０は、前身頃Ｆ及び後身頃Ｂを一体的に構成しており、前身頃Ｆと後身頃Ｂとが接合されたサイドシール部２１の縦方向範囲として定まる胴周り部Ｔと、脚開口を形成する部分の前後方向範囲として定まる中間部Ｌとを有しており、中間部Ｌは内装体１０の幅方向両側に位置するカバー部Ｃを有している。外装体２０の平面形状は、前後方向中間に、凹状の脚周りライン２９を形成する括れ部を有している。外装体２０は、前後に二分割して前身頃Ｆ及び後身頃Ｂを個別に構成し、両者が股間部で離間するように配置しても良い。
【００３３】
また、外装体２０には、図４〜図６にも示されるように、第１シート層２０Ａ及び第２シート層２０Ｂの間に、弾性シート層３０及び幅方向に沿う細長状弾性部材２４が配設され、幅方向の伸縮性が付与されている。
【００３４】
より詳細に説明すると、外装体２０のウエスト部２３にはウエスト部弾性部材２４が設けられている。このウエスト部弾性部材２４は、縦方向に間隔をおいて配置された複数の糸ゴム等の細長状弾性部材であり、身体の胴周りを締め付けるように伸縮力を与えるものである。ウエスト部弾性部材２４は、間隔を密にして実質的に一束として配置されるのではなく、所定の伸縮ゾーンを形成するように３〜８ｍｍ程度の間隔を空けて、３本以上、好ましくは５本以上配置される。ウエスト部弾性部材２４の固定時の伸長率は適宜定めることができるが、通常の成人用の場合２３０〜３２０％程度とすることができる。
【００３５】
ウエスト部弾性部材２４は、図示例では糸ゴムを用いたが、例えばテープ状の伸縮部材を用いても良く、またこれに代えて、後述の弾性シート層をウエスト部２３まで延在させてもよい。図示形態のウエスト部弾性部材２４は、第２シート層２０Ｂの構成材をウエスト開口縁で内面側に折り返してなる折り返し部分２０Ｃに挟持されているが、第１シート層２０Ａの構成材と第２シート層２０Ｂの構成材との間に挟持しても良い。
【００３６】
第１シート層２０Ａ及び第２シート層２０Ｂの構成材は、シート状のものであれば特に限定無く使用できるが、通気性及び柔軟性の観点から不織布を用いることが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１２〜２０ｇ／ｍ2程度とするのが好ましい。また、第１シート層２０Ａ及び第２シート層２０Ｂは、一枚の資材を折り返して対向させた一対の層であっても良い。
【００３７】
一方、図２に示すように、前身頃Ｆ及び後身頃Ｂの胴周り部及びそれらの間の中間部にわたる伸縮領域２０Ｘは、図３に示すように、第１シート層２０Ａと、第２シート層２０Ｂとの間に弾性シート層３０が積層されてなるとともに、弾性シート層３０が幅方向に伸長された状態で、第１シート層２０Ａ及び第２シート層２０Ｂが、伸縮方向及びこれと直交する方向にそれぞれ間隔を空けて配列された多数の点状接合部４０で、弾性シート層３０に形成された貫通孔３１を通じて接合されており、第１シート層２０Ａ及び第２シート層２０Ｂは、少なくとも点状接合部４０における第１シート層２０Ａ及び第２シート層２０Ｂ間以外では弾性シート層３０と接合されていない。その結果、図３（ｄ）に示すように、弾性シート層３０の自然長状態では、接合部間の第１シート層２０Ａ及び第２シート層２０Ｂが互いに離間する方向に膨らんで、伸縮方向と交差する方向に延びる収縮皺２５が形成され、図３（ｃ）に示すように、幅方向にある程度伸長した装着状態でも、収縮皺２５は伸ばされるものの、残るようになっている。また、装着状態を想定した図３（ｃ）及び第１シート層２０Ａ及び第２シート層２０Ｂの完全展開状態を想定した図３（ａ）（ｂ）からも分かるように、これらの状態では、弾性シート層３０における点状接合部の貫通孔３１と、点状接合部４０との間に隙間が形成され、弾性シート層３０の素材が無孔のフィルムやシートであっても、この隙間により通気性が付加される。
【００３８】
特徴的には、図２に示すように、カバー部における周縁部領域７１及びこの周縁部領域７１により囲まれた包囲領域７２のうち、周縁部領域７１における点状接合部４０の配置密度が、包囲領域７２における点状接合部４０の配置密度よりも高くなるパターンで、点状接合部４０が形成されている。弾性シート層３０を幅方向に伸長した状態で第１シート層２０Ａ及び第２シート層２０Ｂ間に挟み、多数の点状接合部４０で一体化した伸縮構造では、点状接合部４０の配置密度が高くなるほど幅方向の収縮率が低下するため、このような配置密度の変化があると、カバー部Ｃは自然長状態で包囲領域７２が周縁部領域７１に対して膨らみ出るように湾曲し、ある程度伸長した装着状態でもその湾曲は維持され、臀部の下部表面に沿って良好にフィットするようになる。よって、脚開口の縁２９に沿って弾性部材を設けなくても、臀部の下部に対するフィット性が向上する。
【００３９】
この原理からも分かるように、カバー部Ｃにおける少なくとも前後方向中間の部分が、カバー部Ｃにおける幅方向外側の縁から幅方向中央側の部分まで段階的又は連続的に、点状接合部４０の配置密度が高くなるように構成されていれば、カバー部Ｃは自然長状態で外側に湾曲し、ある程度伸長した装着状態でも湾曲は維持され、臀部の下部表面に沿ってフィットするようになる。特に、図示形態のように、配置密度を二段階で変化させるだけの簡素な構造でも十分なフィット性向上を図ることができる。
【００４０】
また、点状接合部４０の配置密度の幅方向変化は、カバー部Ｃにおける少なくとも前後方向中間の部分に設ける限り、図１０に示すように、後身頃Ｂの胴周り部Ｔにもカバー部Ｃ同様に設けることができる。この場合において、図示のように、胴周り部Ｔにおける点状接合部４０の配置密度の変化をカバー部Ｃにおける点状接合部４０の配置密度の変化に対して連続的に設ける他、分離して個別に設けることもできる。このように胴周り部Ｔにも点状接合部４０の配置密度の変化を設けることにより、臀部の下部だけでなく、臀部の上下方向中間の側部等、より広範囲のフィット性を向上することができる。
【００４１】
カバー部Ｃの幅方向外側の縁は前後方向全体にわたり前後方向に沿う直線状をなしていても良いが、図８に示す形態のように少なくとも前後方向中央側の部分、好ましくは図２に示す形態のように前後方向の全体が、前後方向中央側に向かうにつれて前記内装体１０側に位置するような直線状又は曲線状をなしていると、前述の点状接合部４０の配置密度の変化により臀部の下部に対するフィット性が特に好ましいものとなる。
【００４２】
また、図８に示すように、後身頃Ｂにおける内装体１０の側方に位置する部分の前後方向長さが、前身頃Ｆにおける内装体１０の側方に位置する部分の前後方向長さよりも長く、かつカバー部Ｃが胴周り部Ｔ側に胴周り部Ｔと同幅の部分を有する形態では、カバー部Ｃの脚開口の縁部が浮いてひらひらとし易いため、前述の点状接合部４０の配置密度の変化を設けるのに特に好適である。なお、この形態では、後身頃Ｂのカバー部Ｃの側部にはサイドシール部２１は形成されないものの、サイドシール部２１を形成する際の溶着痕跡２１ｄが形成されていても良い。
【００４３】
点状接合部４０の配置密度（すなわち単位面積に占める点状接合部４０の割合）の高低は、個々の点状接合部４０の面積の大小及び点状接合部４０間の間隔の広狭の少なくとも一方により形成することができる。例えば、図示形態のように配置密度を二段階変化させる場合、密配置領域（図示形態では包囲領域７２。以下同じ。）の点状接合部４０の間隔を疎配置領域（図示形態では周縁部領域７１。以下同じ。）のそれと同じにして密配置領域の個々の点状接合部４０の面積を疎配置領域のそれよりも大きくしたり、密配置領域の個々の点状接合部４０の面積を疎配置領域のそれと同じにして密配置領域の点状接合部４０の間隔を疎配置領域のそれより小さくしたり、密配置領域の個々の点状接合部４０の面積を疎配置領域のそれより大きく且つ密配置領域の点状接合部４０の間隔を疎配置領域のそれより小さくしたりすることができる。
【００４４】
個々の点状接合部４０の面積は適宜定めれば良いが、小さすぎると接合が不十分になり易く、大きすぎると点状接合部４０の硬さが感触に及ぼす影響が大きくなるため、０．３〜４．０ｍｍ2程度とすることが好ましい。特に、図示形態のように配置密度を二段階変化させる場合、密配置領域における個々の点状接合部４０の面積は０．６〜１．２ｍｍ2程度とすることが好ましく、疎配置領域における個々の点状接合部４０の面積は０．３〜０．６ｍｍ2程度とすることが好ましい。
【００４５】
点状接合部４０の幅方向の間隔４０ｘ（展開状態）は適宜定めれば良いが、広すぎると収縮時の皺が不規則になり易く、狭すぎると点状接合部４０の硬さが感触に及ぼす影響が大きくなるため、５〜７ｍｍ程度とすることが好ましい。前後方向の間隔も同様である。特に、密配置領域における点状接合部４０の幅方向の間隔４０ｘ及び前後方向の間隔は０．５〜１．０ｍｍ程度とし、疎配置領域における点状接合部４０の幅方向の間隔４０ｘ及び前後方向の間隔は６〜８ｍｍ程度とすることが好ましい。
【００４６】
個々の点状接合部４０の形状は、真円形、楕円形、三角形等の多角形、星形、雲形等、任意の形状とすることができる。個々の点状接合部４０の大きさは、適宜定めれば良いが、大きすぎると点状接合部４０の硬さが感触に及ぼす影響が大きくなり、小さすぎると接合面積が少なく資材同士が十分に接着できなくなるため、長径又は直径ｄ１は０．５〜２．５ｍｍ程度とすることが好ましい。
【００４７】
点状接合部４０の平面配列は特に限定されないが、規則的に繰り返される配列が好ましく、斜方格子状や六角格子状（これらは千鳥状ともいわれる）、正方格子状、矩形格子状、平行体格子（多数の平行な斜め方向の列の群が互いに交差するように２群設けられる形態）状等のように個々の点状接合部４０が規則的に繰り返されるものの他、点状接合部４０の群（群単位の配列は規則的でも不規則でも良く、模様や文字状等でも良い）が規則的に繰り返されるものとすることもできる。
【００４８】
弾性シート層３０は特に限定されるものではなく、複数の素材を用いて形成されるものであっても良いが、エラスティックフィルムなどからなるフィルム状の弾性シートのように、それ自体弾性を有する弾性素材を好適に用いることができ、無孔のものの他、通気のために多数の孔やスリットが形成されたものも用いることができる。弾性シート層３０の厚みは特に限定されないが、２０〜４０μｍ程度であるのが好ましい。
【００４９】
伸縮領域２０Ｘの伸長率（第１シート層２０Ａ及び第２シート層２０Ｂ間に弾性シート層３０を一体化した状態で最大に伸ばした状態の伸長率）は適宜定めることができるが、例えば成人用途の場合、幅方向では１７０〜２５０％程度とすることができる。また、伸縮領域２０Ｘの縦方向の伸長率も適宜定めることができるが、例えば成人用途の場合、縦方向には殆ど伸長させない形態では１００〜１２５％程度、縦方向にも伸長するように第１シート層２０Ａ及び第２シート層２０Ｂの接合時に弾性シート層３０を縦方向にも伸長した場合で、１２５〜１８０％程度とすることができる。
【００５０】
点状接合部４０における第１シート層２０Ａ及び第２シート層２０Ｂの接合は直接的であっても、また弾性シート層３０等の他のシートを介して間接的になされていても良い。図９は、代表的な三種類の接合構造を示している。図９（ａ）及び（ｃ）に示す接合構造は、図３に示す形態と同様に、第１シート層２０Ａ及び第２シート層２０Ｂは、弾性シート層３０に形成された貫通孔３１を通じて接合されるとともに、少なくとも点状接合部４０（図９に斜め格子模様を付した部分）における第１シート層２０Ａ及び第２シート層２０Ｂ間以外では弾性シート層３０と接合されていないものである。この接合構造は、特表２００４−５３２７５８号公報の方法における模様付きカレンダーローラーの隆起部の配列パターンを、前述の地模様領域７０及び表示領域８０の点状接合部４０，４３のパターンにするだけでも製造することができる。ただし、特表２００４−５３２７５８号公報記載の手法は、弾性シート層３０を溶解せずに押し出すものであると考えられ、その場合、図９（ｃ）に示すように、第１シート層２０Ａ及び第２シート層２０Ｂ間に弾性シート層３０が残らず、貫通孔３１の周囲に図示しない押し出し破片が移動可能に残るおそれがある。これに対して、特表２００４−５３２７５８号公報記載の製法において、点状接合部４０において弾性シート層３０が溶解分離するように、弾性シート層３０の素材の種類や加工温度等の加工条件を適宜選択することにより、図９（ａ）に示すように、弾性シート層３０の溶解分離片が点状接合部４０内に残された接合構造とすることができる。このように、点状接合部４０の第１シート層２０Ａ及び第２シート層２０Ｂ間に弾性シート層３０の溶解分離片が残る形態は、点状接合部４０において第１シート層２０Ａ及び第２シート層２０Ｂが弾性シート層３０と接合しているともいえるが、第１シート層２０Ａ及び第２シート層２０Ｂは、少なくとも点状接合部４０における第１シート層２０Ａ及び第２シート層２０Ｂ間以外では弾性シート層３０と接合されていない形態（点状接合部４０の第１シート層２０Ａ及び第２シート層２０Ｂがその周囲の弾性シート層３０（つまり貫通孔３１の縁部）と接合することは含まない意味）には違いないものである。また、もちろん、特表２００４−５３２７５８号公報記載の製法において、点状接合部４０において弾性シート層３０が溶解分離せず、貫通孔３１も形成されないように、弾性シート層３０の素材の種類や加工温度等の加工条件を適宜選択することにより、図９（ｂ）に示すように、点状接合部４０において弾性シート層３０に貫通孔が形成されず、第１シート層２０Ａ及び第２シート層２０Ｂが弾性シート層３０を介して間接的に接合された接合構造とすることもできる。
【００５１】
図示例は、外装体２０のウエスト部以外の伸縮領域２０Ｘに弾性シート層３０を介在させた例であるが、ウエスト部まで弾性シート層３０を介在させて細長状弾性伸縮部材を省略することもでき、また、胴周り部Ｔには弾性シート層３０を設けずにウエスト部同様に細長状弾性伸縮部材を設けても良い。
【００５２】
また、パンツタイプ使い捨ておむつにおける吸収体１３と重なる領域は、製造上の理由により弾性シート層３０を配置させることが望ましいものの伸縮が不要な領域である。よって、図示例のように、外装体２０の伸縮領域２０Ｘにおける吸収体１３と重なる部分の大部分（一部でも全部でも良い）の領域８０の配置密度も高くし、収縮皺２５を小さく、つまり収縮量を少なくするのも一つの好ましい形態である。
【００５３】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられていても良い。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００５４】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート５０，６０と同等の部分を形成することもできる。
【００５５】
＜明細書中の用語の説明＞
明細書中の以下の用語は、明細書中に特に記載が無い限り、以下の意味を有するものである。
・「伸長率」は、自然長を１００％としたときの値を意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【産業上の利用可能性】
【００５６】
本発明は、上記例のようなパンツタイプ使い捨ておむつに利用できるものである。
【符号の説明】
【００５７】
Ｂ…後身頃、Ｆ…前身頃、１０…内装体、１１…液透過性表面シート、１２…液不透過性裏面側シート、１３…吸収体、１４…包装シート、１５…ギャザー不織布、１６…ギャザー弾性部材、２０…外装体、２０Ｃ…折り返し部分、２１…サイドシール部、２４…ウエスト部弾性部材、２９…脚周りライン、１３Ｎ…括れ部分、２０Ａ…第１シート層、２０Ｂ…第２シート層、３０…弾性シート層、４０…点状接合部、２５…収縮皺、２０Ｘ…伸縮領域、Ｃ…カバー部、Ｔ…胴周り部、Ｌ…中間部、７１…周縁部領域、７２…包囲領域。
【図１】
0006008408.tif 000002
【図２】
0006008408.tif 000003
【図３】
0006008408.tif 000004
【図４】
0006008408.tif 000005
【図５】
0006008408.tif 000006
【図６】
0006008408.tif 000007
【図７】
0006008408.tif 000008
【図８】
0006008408.tif 000009
【図９】
0006008408.tif 000010
【図１０】
0006008408.tif 000011